(57)【要約】【課題】印刷条件に応じて発生する印刷結果の差異を抑制する技術を提供する。【解決手段】オペレータの入力操作に応じて、関連付けパターン作成部１２が印刷条件毎に各網の種類とドットゲイン分補正データとを関連付けた関連付けパターン群ＰＧを作成する。そして、オペレータによる印刷条件の選択操作に応答して、関連付けパターン指定部１４が関連付けパターン群ＰＧから印刷条件に対応するパターンを指定する。そして、関連付けパターン参照部１７が、指定されるパターンを参照するとともに、データ処理部１６が、各網の種類に対して関連付けられたドットゲイン分補正データに基づいて、オブジェクト毎に網の種類が指定された原画像に対するドットゲイン分補正処理、および網掛け処理を実施して、刷版画像を作成する。【選択図】図２
2005181845.tif 000002
【特許請求の範囲】
【請求項１】
刷版画像で使用される網の種類が指定された原画像から刷版画像を作成する刷版画像作成装置であって、
オペレータの入力に係る印刷条件の情報を受け付ける条件受付手段と、
各網の種類とドットゲイン分補正データとを関連付けた関連付けパターンを印刷条件毎に格納した関連付けパターン群から、前記印刷条件の情報に対応する指定関連付けパターンを指定する指定手段と、
前記指定関連付けパターンを参照するとともに、前記各網の種類に対して関連付けられた前記ドットゲイン分補正データに基づいて前記原画像に対するドットゲイン分補正処理を実行して、網掛け処理を実施することで、刷版画像を作成する画像作成手段と、
を備えることを特徴とする刷版画像作成装置。
【請求項２】
請求項１に記載の刷版画像作成装置であって、
前記印刷条件が、
前記刷版画像作成装置によって作成された刷版画像に基づいて作成される刷版を用いて印刷を行う印刷機の種類を含むことを特徴とする刷版画像作成装置。
【請求項３】
請求項１または請求項２に記載の刷版画像作成装置であって、
前記印刷条件が、
前記刷版画像作成装置によって作成された刷版画像に基づいて作成される刷版を用いて印刷を行う環境の条件を含むことを特徴とする刷版画像作成装置。
【請求項４】
請求項１から請求項３のいずれかに記載の刷版画像作成装置であって、
前記印刷条件が、
前記刷版画像作成装置によって作成された刷版画像に基づいて作成される刷版を用いて印刷を行う際に使用される記録媒体の条件を含むことを特徴とする刷版画像作成装置。
【請求項５】
刷版画像作成装置に含まれるコンピュータによって実行されることにより、前記刷版画像作成装置を、請求項１から請求項４のいずれかに記載の刷版画像作成装置として機能させるプログラム。
【請求項６】
刷版画像で使用される網の種類が指定された原画像から刷版画像を作成する刷版画像作成方法であって、
オペレータの入力に係る印刷条件の情報を受け付ける条件受付ステップと、
各網の種類とドットゲイン分補正データとを関連付けた関連付けパターンを印刷条件毎に格納した関連付けパターン群から、前記印刷条件の情報に対応する指定関連付けパターンを指定する指定ステップと、
前記指定関連付けパターンを参照するとともに、前記各網の種類に対して関連付けられた前記ドットゲイン分補正データに基づいて前記原画像に対するドットゲイン分補正処理を実行して、網掛け処理を実施することで、刷版画像を作成する画像作成ステップと、
を備えることを特徴とする刷版画像作成方法。
【請求項７】
請求項１から請求項４のいずれかに記載の刷版画像作成装置と、
前記刷版画像作成装置によって作成された刷版画像に基づいて刷版を作成する刷版作成装置と、
を備えることを特徴とする刷版作成システム。
【請求項８】
請求項１から請求項４のいずれかに記載の刷版画像作成装置と、
前記刷版画像作成装置によって作成された刷版画像に基づいて刷版を作成する刷版作成装置と、
前記刷版を用いて印刷を行う印刷機と、
を備えることを特徴とする印刷システム。
【請求項９】
入力信号を受け付ける信号受付手段と、
刷版画像で使用される網の種類が指定された原画像から刷版画像を作成する際に、オペレータの入力に係る印刷条件の情報に応じたドットゲイン分補正処理を行うために、前記入力信号に基づいて、印刷条件毎に各網の種類とドットゲイン分補正データとを関連付けた関連付けパターンを作成することで、関連付けパターン群を作成するパターン作成手段と、
を備えることを特徴とする網ゲイン分補正データ関連付け装置。
【請求項１０】
網ゲイン分補正データ関連付け装置に含まれるコンピュータによって実行されることにより、前記網ゲイン分補正データ関連付け装置を、請求項９に記載の網ゲイン分補正データ関連付け装置として機能させるプログラム。
【請求項１１】
オペレータの入力に係る印刷条件の情報を受け付ける条件受付手段と、
刷版画像で使用される網の種類が指定された原画像から刷版画像を作成する際に前記印刷条件に応じたドットゲイン分補正処理を行うために、各網の種類とドットゲイン分補正データとを関連付けた関連付けパターンを印刷条件毎に格納した関連付けパターン群から、前記印刷条件の情報に対応する指定関連付けパターンを指定する指定手段と、
を備えることを特徴とする関連付けパターン指定装置。
【請求項１２】
関連付けパターン指定装置に含まれるコンピュータによって実行されることにより、前記関連付けパターン指定装置を、請求項１１に記載の関連付けパターン指定装置として機能させるプログラム。
【請求項１３】
各網の種類とドットゲイン分補正データとを関連付けた関連付けパターンを印刷条件毎に格納した関連付けパターン群から、オペレータの入力に係る印刷条件の情報に基づいて指定された指定関連付けパターンを参照する参照手段と、
前記参照手段によって前記指定関連付けパターンを参照するとともに、前記各網の種類に対して関連付けられた前記ドットゲイン分補正データに基づいて、前記原画像に対するドットゲイン分補正処理を実施するデータ処理手段と、
を備えることを特徴とするゲイン分補正処理装置。
【請求項１４】
ゲイン分補正処理装置に含まれるコンピュータによって実行されることにより、前記ゲイン分補正処理装置を、請求項１３に記載のゲイン分補正処理装置として機能させるプログラム。
【発明の詳細な説明】
【技術分野】
【０００１】
本発明は、印刷対象となる画像データから刷版作成用の画像データを作成する技術に関する。
【背景技術】
【０００２】
カラーのオフセット印刷では、写真画像などの原稿画像を、Ｙ（イエロー）、Ｍ（マゼンタ）、Ｃ（シアン）、Ｋ（ブラック）の４色のインクに対応した４つの色分解画像に分解し、各インクの色分解画像を刷り重ねることによって印刷物を作成する。そして、各インクに対応する刷版やフィルム上の画像は、インクの乗る微小なドットによって表現される。なお、この微小なドットの配列が周期的であるものと、周期的でないものとがあるが、本明細書では、これらのドットを「網点」と総称し、１つの色分解画像を表現する網点の集合を「網」と称する。さらに、画像の濃淡は網点毎のサイズや網点の密度を変化させる複数のルールによって実現することができるが、その濃淡を表すルールを「網の種類」と称する。
【０００３】
現在、印刷対象となる複数のオブジェクトがレイアウトされた画像データ上において、オブジェクト（絵柄、チント、および罫線など）毎に、オブジェクトに応じた異なる網の種類を使用することができるＲＩＰ(Raster Image Processor)システムが存在している。さらに、ＣＴＰ(Computer to Plate)から出力した刷版を使用する印刷機において、網の種類に応じて発生するドットゲインの大小が変化して、印刷結果において色の差異が生じるため、この差異を吸収する手法としてドットゲインを考慮したデータ補正を行うＲＩＰシステムが存在している（例えば、特許文献１）。
【０００４】
このような技術に関する先行技術文献としては、以下のようなものがある。
【０００５】
【特許文献１】特開平７−３３３８２２号公報
【発明の開示】
【発明が解決しようとする課題】
【０００６】
しかしながら、上述したＲＩＰシステムでは、一種類の網については、網点が占める面積率（網パーセント）毎に一つの予め定められたデータ補正用の調整値が適用される仕様となっているため、印刷機の種類やその印刷機で用いられる紙やインクの種類などといった印刷条件が異なると、発生するドットゲインの大小が変化して、印刷結果において色の濃淡の差異などをはじめとする種々の差異が生じるといった問題があった。
【０００７】
本発明は、上記課題に鑑みてなされたものであり、印刷条件に応じて発生する印刷結果の差異を抑制する技術を提供することを目的とする。
【課題を解決するための手段】
【０００８】
上記の課題を解決するために、請求項１に記載の発明は、刷版画像で使用される網の種類が指定された原画像から刷版画像を作成する刷版画像作成装置であって、オペレータの入力に係る印刷条件の情報を受け付ける条件受付手段と、各網の種類とドットゲイン分補正データとを関連付けた関連付けパターンを印刷条件毎に格納した関連付けパターン群から、前記印刷条件の情報に対応する指定関連付けパターンを指定する指定手段と、前記指定関連付けパターンを参照するとともに、前記各網の種類に対して関連付けられた前記ドットゲイン分補正データに基づいて前記原画像に対するドットゲイン分補正処理を実行して、網掛け処理を実施することで、刷版画像を作成する画像作成手段とを備えることを特徴とする。
【０００９】
また、請求項２に記載の発明は、請求項１に記載の刷版画像作成装置であって、前記印刷条件が、前記刷版画像作成装置によって作成された刷版画像に基づいて作成される刷版を用いて印刷を行う印刷機の種類を含むことを特徴とする。
【００１０】
また、請求項３に記載の発明は、請求項１または請求項２に記載の刷版画像作成装置であって、前記印刷条件が、前記刷版画像作成装置によって作成された刷版画像に基づいて作成される刷版を用いて印刷を行う環境の条件を含むことを特徴とする。
【００１１】
また、請求項４に記載の発明は、請求項１から請求項３のいずれかに記載の刷版画像作成装置であって、前記印刷条件が、前記刷版画像作成装置によって作成された刷版画像に基づいて作成される刷版を用いて印刷を行う際に使用される記録媒体の条件を含むことを特徴とする。
【００１２】
また、請求項５に記載の発明は、刷版画像作成装置に含まれるコンピュータによって実行されることにより、前記刷版画像作成装置を、請求項１から請求項４のいずれかに記載の刷版画像作成装置として機能させるプログラムである。
【００１３】
また、請求項６に記載の発明は、刷版画像で使用される網の種類が指定された原画像から刷版画像を作成する刷版画像作成方法であって、オペレータの入力に係る印刷条件の情報を受け付ける条件受付ステップと、各網の種類とドットゲイン分補正データとを関連付けた関連付けパターンを印刷条件毎に格納した関連付けパターン群から、前記印刷条件の情報に対応する指定関連付けパターンを指定する指定ステップと、前記指定関連付けパターンを参照するとともに、前記各網の種類に対して関連付けられた前記ドットゲイン分補正データに基づいて前記原画像に対するドットゲイン分補正処理を実行して、網掛け処理を実施することで、刷版画像を作成する画像作成ステップとを備えることを特徴とする。
【００１４】
また、請求項７に記載の発明は、請求項１から請求項４のいずれかに記載の刷版画像作成装置と、前記刷版画像作成装置によって作成された刷版画像に基づいて刷版を作成する刷版作成装置とを備えることを特徴とする。
【００１５】
また、請求項８に記載の発明は、請求項１から請求項４のいずれかに記載の刷版画像作成装置と、前記刷版画像作成装置によって作成された刷版画像に基づいて刷版を作成する刷版作成装置と、前記刷版を用いて印刷を行う印刷機とを備えることを特徴とする。
【００１６】
また、請求項９に記載の発明は、入力信号を受け付ける信号受付手段と、刷版画像で使用される網の種類が指定された原画像から刷版画像を作成する際に、オペレータの入力に係る印刷条件の情報に応じたドットゲイン分補正処理を行うために、前記入力信号に基づいて、印刷条件毎に各網の種類とドットゲイン分補正データとを関連付けた関連付けパターンを作成することで、関連付けパターン群を作成するパターン作成手段とを備えることを特徴とする。
【００１７】
また、請求項１０に記載の発明は、網ゲイン分補正データ関連付け装置に含まれるコンピュータによって実行されることにより、前記網ゲイン分補正データ関連付け装置を、請求項９に記載の網ゲイン分補正データ関連付け装置として機能させるプログラムである。
【００１８】
また、請求項１１に記載の発明は、オペレータの入力に係る印刷条件の情報を受け付ける条件受付手段と、刷版画像で使用される網の種類が指定された原画像から刷版画像を作成する際に前記印刷条件に応じたドットゲイン分補正処理を行うために、各網の種類とドットゲイン分補正データとを関連付けた関連付けパターンを印刷条件毎に格納した関連付けパターン群から、前記印刷条件の情報に対応する指定関連付けパターンを指定する指定手段とを備えることを特徴とする。
【００１９】
また、請求項１２に記載の発明は、関連付けパターン指定装置に含まれるコンピュータによって実行されることにより、前記関連付けパターン指定装置を、請求項１１に記載の関連付けパターン指定装置として機能させるプログラムである。
【００２０】
また、請求項１３に記載の発明は、各網の種類とドットゲイン分補正データとを関連付けた関連付けパターンを印刷条件毎に格納した関連付けパターン群から、オペレータの入力に係る印刷条件の情報に基づいて指定された指定関連付けパターンを参照する参照手段と、前記参照手段によって前記指定関連付けパターンを参照するとともに、前記各網の種類に対して関連付けられた前記ドットゲイン分補正データに基づいて、前記原画像に対するドットゲイン分補正処理を実施するデータ処理手段とを備えることを特徴とする。
【００２１】
また、請求項１４に記載の発明は、ゲイン分補正処理装置に含まれるコンピュータによって実行されることにより、前記ゲイン分補正処理装置を、請求項１３に記載のゲイン分補正処理装置として機能させるプログラムである。
【発明の効果】
【００２２】
請求項１から請求項８に記載の発明によれば、印刷条件毎に、各網の種類と印刷時に発生するドットゲインを見込んでデータ補正するためのドットゲイン分補正データとを関連付けたパターンを用意し、その複数のパターンから、オペレータの入力に係る印刷条件に対応するパターンを指定して、その指定されたパターンを参照するとともに、各網の種類に対して関連付けられたドットゲイン分補正データに基づいて、原画像に対するドットゲイン分補正処理を実行して、網掛け処理を実施することで、印刷条件に応じたドットゲイン分補正処理を実施することができるため、印刷条件に応じて発生する印刷結果の差異を抑制することができる。
【００２３】
特に、請求項２に記載の発明によれば、印刷条件が、印刷機の種類を含むことで、印刷機の種類に応じたドットゲイン分補正処理を実施することができるため、印刷機の種類の差異に応じて発生する印刷結果の差異を抑制することができる。
【００２４】
また、請求項３に記載の発明によれば、印刷条件が、印刷を行う環境の条件を含むことで、印刷を行う環境の条件に応じたドットゲイン分補正処理を実施することができるため、印刷時の気温や温度などの環境に応じて発生する印刷結果の差異を抑制することができる。
【００２５】
また、請求項４に記載の発明によれば、印刷条件が、印刷時に使用される記録媒体の条件を含むことで、印刷時に使用される紙やインクや刷版の種類などといった印刷による記録に用いられる種々の媒体に応じたドットゲイン分補正処理を実施することができるため、種々の記録媒体の条件に応じて発生する印刷結果の差異を抑制することができる。
【００２６】
また、請求項５に記載の発明によれば、請求項１から請求項４に記載の発明と同様な効果を奏することができる。
【００２７】
また、請求項９および請求項１０に記載の発明によれば、原画像から刷版画像を作成する際にオペレータの入力に係る印刷条件に応じたドットゲイン分補正処理を行うために、印刷条件毎に各網の種類と印刷時に発生するドットゲインを見込んでデータ補正するためのドットゲイン分補正データとを関連付けることで、複数の関連付けパターンを作成するような構成とすることにより、印刷条件に応じたドットゲイン分補正処理を選択的に実施することができるため、印刷条件に応じて発生する印刷結果の差異を抑制することができる。
【００２８】
また、請求項１１および請求項１２に記載の発明によれば、原画像から刷版画像を作成する際にオペレータの入力に係る印刷条件に応じたドットゲイン分補正処理を行うために、印刷条件毎に各網の種類と印刷時に発生するドットゲインを見込んでデータ補正するためのドットゲイン分補正データとを関連付けたパターンを格納したパターン群から、オペレータの入力に係る印刷条件に対応するパターンを指定することで、印刷条件に応じたドットゲイン分補正処理を選択的に実施することができるため、印刷条件に応じて発生する印刷結果の差異を抑制することができる。
【００２９】
また、請求項１３および請求項１４に記載の発明によれば、印刷条件毎に各網の種類と印刷時に発生するドットゲインを見込んでデータ補正するためのドットゲイン分補正データとを関連付けたパターンを格納したパターン群から、オペレータの入力に係る印刷条件の情報に基づいて指定されたパターンを参照するとともに、各網の種類に対して関連付けられたドットゲイン分補正データに基づいて、原画像に対するドットゲイン分補正処理を実行することで、印刷条件に応じたドットゲイン分補正処理を選択的に実施することができるため、印刷条件に応じて発生する印刷結果の差異を抑制することができる。
【発明を実施するための最良の形態】
【００３０】
以下、本発明の実施形態を図面に基づいて説明する。
【００３１】
＜印刷システムの概要＞
図１は、本発明の実施形態に係る印刷システム１００の概要を示す図である。
【００３２】
印刷システム１００は、刷版画像作成装置１、出力機３、および印刷機４を備えて構成され、刷版画像作成装置１と出力機３とがＬＡＮ(Local Area Network)などの通信回線５０を介してデータ送受信可能に接続される。なお、ここでは、刷版画像作成装置１と出力機３との間のデータの受け渡しは、この通信回線５０を介して行われるが、リード／ライト可能な可搬性の記憶媒体を介して行われる態様であっても良い。
【００３３】
刷版画像作成装置１は、汎用のパーソナルコンピュータ（パソコン）によって実現されるものであり、制御部１０、記憶部２０、表示部３０、および操作入力部４０を備えて構成される。
【００３４】
制御部１０は、ＣＰＵ１０ａ、ＲＡＭ１０ｂ、およびＲＯＭ１０ｃを有し、記憶部２０内に格納されるプログラムをＣＰＵ１０ａにおいて実行することで、刷版画像データ（刷版画像）の作成動作やその他の諸機能を実現する。
【００３５】
記憶部２０は、例えば、ハードディスクなどで構成され、刷版画像データを作成するための各種プログラムや各種データを格納する。
【００３６】
表示部３０は、一般的なＣＲＴや液晶ディスプレイなどで構成され、制御部１０からの各種信号に基づいて、各種画像を表示する。
【００３７】
操作入力部４０は、一般的なキーボードやマウスなどを備えて構成され、オペレータが操作入力部４０を種々操作しつつ表示部３０に表示される各種画面上で各種コマンドを選択することで、制御部１０に対して各種信号を出力する。
【００３８】
出力機３は、一般的なＣＴＰなどの刷版を作成するための装置であり、刷版画像作成装置１で作成された画像データ（刷版画像データ）および後述するジョブチケットを通信回線５０を介して受信し、刷版画像データおよびジョブチケットに基づいて、刷版を作成する。つまり、ここでは、刷版画像作成装置１と出力機３との連繋によって刷版を作成するシステム（刷版作成システム）が実現される。
【００３９】
印刷機４は、出力機３によって作成される刷版と、紙およびインクなどとを用いて、印刷を行う。
【００４０】
＜刷版画像作成装置＞
図２は、本発明の実施形態に係る刷版画像作成装置１の機能構成を例示するブロック図である。なお、図２は、主に、刷版画像作成装置１の制御部１０において実現される機能を説明するための図である。
【００４１】
制御部１０においては、記憶部２０内に格納される所定のプログラムが実行されることにより、ＣＰＵ１０ａ、ＲＡＭ１０ｂ、およびＲＯＭ１０ｃの作用によって、原画像作成部１１、関連付けパターン作成部１２、ジョブチケット作成部１３、関連付けパターン指定部１４、データ受付部１５、データ処理部１６、関連付けパターン参照部１７、およびデータ出力部１８が実現される。
【００４２】
原画像作成部１１の主たる機能は、いわゆるレイアウトソフトウェアであるプログラムＰ１により実現されるものとし、関連付けパターン作成部１２、ジョブチケット作成部１３、関連付けパターン指定部１４、データ受付部１５、データ処理部１６、関連付けパターン参照部１７、およびデータ出力部１８からなる刷版画像データを作成、出力する機能（刷版画像データ作成機能）は、プログラムＰ２により実現されるものとする。
【００４３】
原画像作成部１１は、刷版画像の元となる印刷対象のデータ（原画像データ）を、オペレーターの操作に応じて作成するものである。刷版画像作成装置１においては、表示部３０にて編集中の原画像データなどをサムネール画像などを用いて表示させつつ、オペレータがマウスにより該サムネール画像をドラッグアンドドロップ操作するなどの所定の操作にて指示を与えることにより、印刷物のレイアウトを行うことができる、いわゆるＧＵＩ（Graphical User Interface）が、制御部１０、表示部３０、操作入力部４０の機能により実現されている。
【００４４】
具体的には、原画像作成部１１は、印刷物の各ページごとにその編集状態を表示部３０に表示させつつ、印刷物を構成する各要素（文字、写真、線画）に対応するオブジェクトデータをレイアウトするレイアウト処理を実現する。例えば、文字原稿の流し込みやフォント・段落の設定、写真原稿の拡大・縮小や色補正、線画の描画などがこれに該当する。印刷物のレイアウトは、記憶部２０に保存されている種々のオブジェクトをマウスによりドラッグアンドドロップによって所望の位置へと配置することにより、あるいは、マウスないしはキーボードにて直接にデータを作成・入力することにより行われる。
【００４５】
また、原画像作成部１１は、原画像データを作成する段階で、上記レイアウト処理と同時に、オブジェクトごとに、印刷結果として、どのような網の種類でオブジェクトを表現するのかをオペレータが指定することができるようになっている。つまり、原画像作成部１１では、刷版画像で使用される網の種類が指定された原画像データ（原画像）を作成する。例えば、着物などを表す写真画像については、繊細な色の表現が必要となるため、その用途に適した網の種類をオペレータが、操作入力部４０によって選択することができるようになっている。
【００４６】
記憶部２０は、上述したプログラムＰ１，Ｐ２、後述する関連付けパターン群ＰＧ、後述するドットゲイン分補正データ群ＡＧ、ジョブチケットＪＴ、および網データ群ＮＧなどを記憶する。なお、関連付けパターン群ＰＧは、関連付けパターン作成部１２において作成されるごとに順次更新記憶され、ジョブチケットＪＴは、ジョブチケット作成部１３において作成されるごとに順次更新記憶される。
【００４７】
ドットゲイン分補正データ群ＡＧは、印刷時に発生するドットゲインを見込んで、ドットゲインを相殺するようなデータ補正を行うために、例えば、原画像データの濃度の階調変換などを実行するためのデータ（以下、「ドットゲイン分補正データ」と称する）が複数格納されて構成されるものである。各ドットゲイン分補正データは、ユーザーなどが蓄積したドットゲインの発生に係るデータに基づいて、適宜作成されて、記憶部２０に記憶される。
【００４８】
図３は、ドットゲイン分補正データの特性の一例を説明するための図である。図３では、横軸が調整前の色の濃度を表す階調レベルを、縦軸が調整後の色の濃度を表す階調レベルをそれぞれ示しており、曲線Ｇ１が調整前と調整後の階調レベルの関係を示している。図３では、ある印刷条件において、ミドルトーンでドットゲインが生じ易い網の種類に対して、予めミドルトーンの階調レベルを低減するような階調変換を行って刷版画像データを作成して刷版を作成することでドットゲインの影響を相殺するためのドットゲイン分補正データを示している。
【００４９】
網データ群ＮＧは、網の種類毎に、各インクに対応する濃淡を表す階調に合わせた網を示すデータ（網データ）が格納されて構成されるものである。
【００５０】
次に、刷版画像データ作成機能を実現する各部について説明する。
【００５１】
関連付けパターン作成部１２は、どの網の種類に対してどのドットゲイン分補正データを適用するかを指定して関連付けすることで、網の種類とドットゲイン分補正データとを関連付けした関連付けパターンを作成するものである。関連付けパターン作成部１２では、オペレータによる操作入力部４０の操作に応答して、関連付けパターンを作成する。
【００５２】
なお、ここでは、関連付けパターン作成部１２が、オペレータによる操作に応答して操作入力部４０から入力される信号（入力信号）を受け付ける手段として機能する。そして、関連付けパターン作成部１２では、印刷条件（印刷機、インク、紙の種類など）に応じた関連付けパターンをそれぞれ作成することができ、複数の印刷条件に応じた関連付けパターンを各印刷条件と関連付けて、関連付けパターン群ＰＧとして記憶部２０に格納する。
【００５３】
つまり、関連付けパターン作成部１２が、操作入力部４０からの入力信号に基づいて、印刷条件毎に各網の種類とドットゲイン分補正データとを関連付けた関連付けパターンを作成することで、関連付けパターン群ＰＧを作成する手段として機能する。なお、ここで、関連付けパターン群ＰＧを作成するのは、原画像から刷版画像を作成する際に、オペレータの入力に係る印刷条件の情報に応じた後述するドットゲイン分補正処理を行うためである。
【００５４】
図４は、印刷条件毎に網の種類とドットゲイン分補正データとを関連付けた関連付けパターン群ＰＧの内容を例示する図である。図４に示すように、関連付けパターン群ＰＧは、網の種類（網Ａ，Ｂ，Ｃ，・・・）とドットゲイン分補正データ（補正データ１，補正データ２，補正データ３，・・・）とを関連付けしたパターン（関連付けパターン）ＰＴ１，ＰＴ２，ＰＴ３，・・・を印刷条件（ａ，ｂ，・・・）毎に記述したものである。例えば、関連付けパターンＰＴ１は、印刷機Ｘ、インクＡ、紙Ａを使用して印刷を行う条件に応じた関連付けパターンを示している。なお、複数の関連付けパターンを含む関連付けパターン群ＰＧは、例えば、ＸＭＬ（eXtensible Markup Language）形式などで記述することができる。
【００５５】
ジョブチケット作成部１３は、原画像データや刷版画像データを用いてどのような処理（ジョブ）を行うかを指示するために、ジョブの内容に関する設定内容を記述したデータ（ジョブチケット）を作成するものである。ジョブチケット作成部１３で作成されるジョブチケットは記憶部２０に記憶され、記憶部２０に格納される所定のフォルダ（ホットフォルダ）と関連付けられる。
【００５６】
図５は、ジョブチケットの記述内容を例示する図である。図５に示すように、ジョブチケットＪＴ１は、複数のレコードＲ１〜Ｒ５，・・・を含み、それぞれのレコードの項目名（インデックス）とその設定内容とはタブで区切られ、それぞれレコードは改行コードで区切られているテキストファイルとして与えられている。出力機３などでは、インデックスとそれに続く設定内容がサーチされ、それぞれのレコードの設定内容に従った処理が実行されるので、レコードの配列順序は入れ替わっていてもよい。あるいは、ジョブチケットの記述書式も図５の例には限定されず、所定のルールさえ定めておけば、例えば、ＣＳＶ（Comma Separeted Value）形式などが用いられてもよい。このジョブチケットの記述内容は、各インデックスに対して複数用意される設定内容の候補から、オペレータが操作入力部４０を種々操作することで選択可能に設定される。
【００５７】
なお、図５に示すように、ジョブチケットには、例えば、刷版画像データに基づいて刷版を作成する出力機たるＣＴＰの機種名、画像の密度を示す値であるｄｐｉ(dots per inch)、ＣＴＰで用いられる感材名の他、関連付けパターン指定部１４で指定される関連付けパターンの名称などが記述される。
【００５８】
関連付けパターン指定部１４は、記憶部２０に格納される関連付けパターン群ＰＧから、一の関連付けパターンを指定するためのものである。関連付けパターン指定部１４は、オペレータが印刷条件を選択する入力操作に応答して、入力に係る印刷条件の情報を受け付け、当該受け付けられた印刷条件の情報に基づいて、当該印刷条件の情報に対応する関連付けパターンを指定する手段として機能する。なお、ここで一つの関連付けパターンを指定するのは、刷版画像で使用される網の種類が指定された原画像から刷版画像を作成する際に印刷条件に応じたドットゲイン分補正処理を行うためである。
【００５９】
そして、指定された関連付けパターン（指定関連付けパターン）の情報がジョブチケット作成部１３に送信されて、ジョブチケットに関連付けパターン名が記述される。つまり、ジョブチケット作成部１３が、関連付けパターン群ＰＧから、オペレータの入力に係る印刷条件の情報に対応する関連付けパターンを指定するジョブチケットを作成する手段として機能する。
【００６０】
図６は、オペレータが印刷条件を選択するために表示部３０に表示される画面（印刷条件選択画面）を示す図である。図６に示すように、印刷条件選択画面には、関連付けパターン群ＰＧに記述された複数の印刷条件ａ〜ｆ，・・・が列挙され、オペレータが操作入力部４０を種々操作することで、カーソルＫＳを所望の印刷条件に合わせて、一の印刷条件を選択することができる。つまり、ここでは、オペレータが印刷機、インク、紙などの組合せを印刷条件選択画面上で確認しつつ、印刷条件を選択することができる。
【００６１】
データ受付部１５は、原画像作成部１１などで作成された原画像データを刷版画像データ作成機能に受け付けるものである。データ受付部１５は、記憶部２０に記憶されたジョブチケットＪＴと関連付けられたホットフォルダに原画像データが入力されることで、原画像データを受付ける。また、データ受付部１５は、受け付けた原画像データと、ホットフォルダに関連付けられたジョブチケットとを一組としたデータ（「ジョブチケット−原画像データ」とも称する）として、データ処理部１６に送出する。
【００６２】
データ処理部１６は、データ受付部１５から入力される原画像データに対して、各オブジェクト毎に、ドットゲインの影響を相殺するための処理（以下、「ドットゲイン分補正処理」と称する）を行いつつ、原画像データ中で指定された網の種類で表現するようにデータの変換を行う処理（以下、「網掛け処理」と称する）を行うことで、刷版作成用の画像データ（刷版画像データ）を作成するものである。
【００６３】
このデータ処理部１６では、入力されたジョブチケット−原画像データのうち、原画像データを解析することで、オブジェクト毎に指定された網の種類を認識する。また、関連付けパターン参照部１７において網の種類毎に抽出されるドットゲイン分補正データに基づいて、ドットゲイン分補正処理を行いつつ、網掛け処理を行う。
【００６４】
ドットゲイン分補正処理は、図３に示すようなドットゲイン分補正データの特性に基づいて、原画像データの階調変換処理を行うことで実施される。
【００６５】
また、網掛け処理は、記憶部２０に格納される網データ群ＮＧに基づいて、ドットゲイン分補正処理後のオブジェクト毎に、色毎に濃淡を示す階調に応じた網で表現するように、データの変換処理を行うことで実施される。
【００６６】
すなわち、データ処理部１６が、各網の種類に対して関連付けられたドットゲイン分補正データに基づいて原画像に対するドットゲイン分補正処理を実行するとともに、網掛け処理を実施することで、原画像作成部１１で作成された原画像から網点で各オブジェクトが表現されたデータ（刷版画像データ）を作成する手段として機能する。
【００６７】
関連付けパターン参照部１７は、データ処理部１６に入力されたジョブチケット−原画像データのうち、ジョブチケットを解析することで、指定関連付けパターンを認識して、オブジェクト毎にドットゲイン分補正処理に用いるドットゲイン分補正データを記憶部２０のドットゲイン分補正データ群ＡＧから抽出するものである。つまり、関連付けパターン参照部１７が、関連付けパターン群ＰＧから指定関連付けパターンにおける関連付けを参照して、オブジェクト毎に指定された網の種類に対応するドットゲイン分補正データを記憶部２０のドットゲイン分補正データ群ＡＧから抽出する手段として機能する。
【００６８】
すなわち、ここでは、データ処理部１６と関連付けパターン参照部１７とが互いに協働することで、指定関連付けパターンを参照するとともに、ドットゲイン分補正処理を実行して、網掛け処理を実行することで、刷版画像を作成する手段として機能する。
【００６９】
そして、データ処理部１６で、網掛け処理が施されて作成された刷版画像データをジョブチケットと一組にしたデータ（ジョブチケット−刷版画像データ）として、データ出力部１８を介して出力機３へ出力する。なお、データ出力部１８は、ジョブチケット−刷版画像データをＩ／Ｆを介して出力機３へ向けて出力するものである。
【００７０】
＜刷版画像の作成動作フロー＞
図７は、刷版画像作成装置１における刷版画像の作成動作フローを例示するフローチャートである。
【００７１】
まず、ステップＳ１では、オペレータが操作入力部４０を種々操作することで、関連付けパターン作成部１２が、各印刷条件に対して、網の種類とドットゲイン分補正データとを関連付けた関連付けパターンを作成し、ステップＳ２に進む。ここでは、印刷条件毎の関連付けパターンが作成されて、関連付けパターン群ＰＧが記憶部２０に記憶される。
【００７２】
ステップＳ２では、オペレータが操作入力部４０を種々操作することで、ジョブチケット作成部１３が、ジョブチケットＪＴを作成し、ステップＳ３に進む。ここでは、オペレータが表示部３０に表示される印刷条件選択画面を見ながら印刷条件を選択すると、関連付けパターン指定部１４が、オペレータの入力に係る印刷条件の情報を受け付ける。そして、関連付けパターン指定部１４が、記憶部２０に記憶された関連付けパターン群ＰＧから、受け付けた印刷条件の情報に対応する一つの関連付けパターン名を指定する。さらに、ジョブチケット作成部１３が、指定された関連付けパターン名をジョブチケット内に記述することで、ジョブチケットＪＴを作成する。
【００７３】
ステップＳ３では、ステップＳ２で作成されて記憶部２０に格納されるジョブチケットＪＴと関連付けられた所定のホットフォルダに、印刷対象となる原画像データを入力することで、データ受付部１５が、原画像データを受付け、所定のホットフォルダに関連付けられたジョブチケットと受け付けた原画像データとを一組のデータ（ジョブチケット−原画像データ）として、データ処理部１６へ送出し、ステップＳ４に進む。
【００７４】
ステップＳ４では、データ処理部１６が、データ受付部１５から入力されたジョブチケット−原画像データのうち、原画像データを解析して、オブジェクト毎に指定された網の種類を認識して、ステップＳ５に進む。
【００７５】
ステップＳ５では、関連付けパターン参照部１７が、原画像データで指定された網の種類に割り当てられたドットゲイン分補正データを検索し、ステップＳ６に進む。ここでは、関連付けパターン参照部１７が、ジョブチケット−原画像データのうち、ジョブチケットを解析して、指定された関連付けパターン（指定関連付けパターン）を認識し、この指定関連付けパターンを参照することで、オブジェクト毎に指定された網の種類に対して関連付けされたドットゲイン分補正データを検索して、抽出する。
【００７６】
ステップＳ６では、データ処理部１６が、ステップＳ４で認識された網の種類、およびステップＳ５で抽出されたドットゲイン分補正データに基づいて、原画像データに対するドットゲイン分補正処理を実行して、網掛け処理を実施することで、刷版画像データを作成し、ステップＳ７に進む。
【００７７】
ステップＳ７では、ステップＳ６で作成された刷版画像データを出力機３に向けて送出して、刷版画像の作成動作フローを終了する。
【００７８】
なお、上記ステップＳ１およびＳ２については、刷版画像作成機能によって原画像データに基づいて刷版画像データを作成する毎には必要とされず、関連付けパターンを増やしたいときに、オペレータの入力操作によってステップＳ１における関連付けパターンの作成処理を行えば良く、また、ジョブチケットＪＴの設定内容を作成、変更したいときに、オペレータの入力操作によってステップＳ２におけるジョブチケットの作成処理を行えば良い。
【００７９】
一方、ステップＳ３以降については、ステップＳ３において、ジョブチケットＪＴと関連付けられた所定のホットフォルダに、原画像データを入力することで、データ受付部１５によって刷版画像作成機能が原画像データを受付けると、ステップＳ３からＳ７までの一連の動作が刷版画像作成機能によって自動的に行われる。
【００８０】
つまり、刷版画像作成装置１における刷版画像の作成動作フローは、ステップＳ１およびＳ２に対応する刷版画像データを作成するための第１段階（事前準備段階）と、ステップＳ３からＳ７に対応する原画像データに基づいて刷版画像データを実際に作成する第２段階（刷版画像作成段階）とを備えて構成される。
【００８１】
また、上述した刷版画像の作成動作フローでは、ステップＳ４におけるオブジェクト毎に指定された網の種類の解析と、ステップＳ５における網の種類毎に関連付けされたドットゲイン分補正データの検索と、ステップＳ６におけるドットゲイン分補正処理および網掛け処理とを順次行ったが、これに限られるものではなく、例えば、オブジェクト毎に網の種類を解析して認識しては、その認識された網の種類に対応するドットゲイン分補正データを検索して抽出するといった動作を行って、ドットゲイン分補正処理および網掛け処理を実行するようにしても良い。つまり、ステップＳ４からＳ６における処理を適宜並行して行うことで、一つのステップとして行うようにしても良い。
【００８２】
以上のように、本発明の実施形態に係る刷版画像作成装置１では、印刷条件毎に各網の種類とドットゲインの影響を抑制するデータ補正用のドットゲイン分補正データとを関連付けた関連付けパターン群ＰＧを作成して準備する。そして、準備された関連付けパターン群ＰＧから、オペレータ（ユーザーなど）によって選択された印刷条件に対応する関連付けパターンを指定したジョブチケットを作成する。そして、オブジェクト毎に網の種類が指定された原画像データを対象として、ジョブチケットによって指定される関連付けパターンを参照するとともに、各網の種類に対して関連付けられたドットゲイン分補正データに基づいてドットゲイン分補正処理を実行し、網掛け処理を実施する。その結果、印刷条件に応じたドットゲイン分補正処理を実施することができるため、印刷条件に応じて発生する印刷結果の差異を抑制することができる。
【００８３】
また、印刷条件には、刷版画像作成装置１によって作成された刷版画像に基づいて出力機３で作成される刷版を用いて印刷を行う印刷機の機種名すなわち印刷機の種類が含まれる。その結果、印刷機の種類に応じたドットゲイン分補正処理を実施することができるため、印刷機の種類の差異に応じて発生する印刷結果の差異を抑制することができる。
【００８４】
また、印刷条件には、印刷機で印刷内容がインクによって記録される媒体としての紙の種類や、印刷内容を紙上に記録する媒体としてのインクの種類などといった印刷機における印刷動作（すなわち、記録動作）に用いられる媒体（以下、「記録媒体」と称する）の条件が含まれる。なお、この記録媒体には、上記、紙やインクなどに限られず、刷版などの印刷による記録に用いられる媒体なども含まれるようにしても良い。すなわち、印刷条件には、刷版画像作成装置１によって作成された刷版画像に基づいて出力機３で作成される刷版を用いて印刷を行う際に使用される記録媒体の条件を含む。その結果、印刷機で使用される紙やインクの種類などといった印刷による記録に用いられる種々の媒体に応じたドットゲイン分補正を実施することができるため、種々の記録媒体に応じて発生する印刷結果の差異を抑制することができる。
【００８５】
ここで、刷版画像作成装置１に係るドットゲイン分補正処理の手法と、従来のドットゲイン分補正処理の手法とを比較する。
【００８６】
従来の手法では、図８に示すように、ジョブチケットＪＴ'によって網の種類毎に対応するドットゲイン分補正データが指定されるようになっており、オブジェクト毎に網の種類が指定された原画像データＰＤとジョブチケットＪＴ'とが一組みとなってドットゲインの影響を相殺するデータ補正を行うデータ処理部１６Ａに入力される。そして、原画像データＰＤとジョブチケットＪＴ'との組みがデータ処理部１６Ａに入力されると、ジョブチケットＪＴ'によって指定される網の種類毎に対応するドットゲイン分補正データに基づいて、原画像データに対してデータ補正が行われる。つまり、従来の手法では、印刷条件毎にドットゲインが異なるにも関わらず、一つの網の種類に対して一つのドットゲイン分補正データのみが紐付けされていたため、印刷条件に応じて印刷結果に差異が発生していた。
【００８７】
なお、ここで、オペレータが、印刷物のレイアウト処理を行って、各オブジェクトに対する網の種類を指定しつつ原画像データを作成する段階（原画像作成段階）で、各網の種類に対して、印刷条件を考慮してどのドットゲイン分補正データを適用するかを指定することも考えられるが、原画像作成段階では、印刷を実施する段階（印刷段階）で、使用する印刷機の機種や印刷用のインクおよび紙などといった印刷条件を特定できない場合が多い。よって、原画像作成段階で、オペレータが、印刷条件に応じた形で、網の種類に対応するドットゲイン分補正データを設定することは困難である。
【００８８】
これに対して、刷版画像作成装置１による手法では、オペレータによる印刷条件の選択操作に基づいて、関連付けパターン指定部１４によって関連付けパターン群ＰＧから一の関連付けパターンを指定するジョブチケットＪＴを作成する。そして、オブジェクト毎に網の種類が指定された原画像データＰＤとジョブチケットＪＴとが一組みとなってドットゲイン分補正処理を行うデータ処理部１６に入力される。原画像データＰＤとジョブチケットＪＴとの組みがデータ処理部１６に入力されると、関連付けパターン参照部１７で、ジョブチケットＪＴによって指定される指定関連付けパターン（ここでは、パターンｂ）を参照しつつ、データ処理部１６で、各網の種類に関連付けされたドットゲイン分補正データに基づいて、原画像データＰＤに対するドットゲイン分補正処理が行われる。
【００８９】
つまり、刷版画像作成装置１による手法では、一つのジョブチケットで設定されるデータ処理毎に、印刷条件に応じた各網の種類に対応するドットゲイン分補正データを選択することができる。そして、原画像作成段階で、印刷段階における印刷条件が分からなくとも、刷版を作成する段階（刷版作成段階）までに、印刷条件が分かれば、その印刷条件を考慮したジョブチケットを作成することで、印刷条件に応じたドットゲイン分補正処理が可能となる。なお、この手法では、原画像データの作成と、関連付けパターンの作成および選択・指定とが、互いに特に連繋することなく独立して行うことができるため、どちらを先に行っても良く、並行して行っても良い。
【００９０】
また、刷版画像作成装置１では、各網の種類に対して印刷条件を考慮したドットゲイン分補正処理を行うため、出力機３側では、特に原画像データの特徴やドットゲイン分補正処理に関する情報を認識することなく、単に刷版画像作成装置１で作成される刷版画像データに基づいて刷版を作成するだけで、印刷条件に応じて発生する印刷結果の差異を抑制することができる。
【００９１】
＜変形例＞
以上、この発明の実施形態について説明したが、この発明は上記説明した内容のものに限定されるものではない。
【００９２】
◎例えば、上述した実施形態では、印刷条件には、印刷機の種類や印刷機で使用される記録媒体の条件が含まれたが、これに限られるものではなく、例えば、印刷条件に、印刷時の気温などの各種温度や湿度などといった環境に係る条件を含むようにしても良い。つまり、印刷条件が、刷版画像作成装置１によって作成された刷版画像に基づいて出力機３で作成される刷版を用いて印刷を行う環境の条件を含むようにしても良い。その結果、印刷時の環境の条件に応じたドットゲイン分補正処理を実施することができるため、印刷時の気温や温度などの環境に応じて発生する印刷結果の差異を抑制することができる。
【００９３】
◎また、上述した実施形態では、印刷条件として、印刷機の種類などが含まれたが、印刷条件に、印刷機の個体差に関する条件（例えば、印刷機の個体を特定する番号などによって特定される）、すなわち、印刷機の個体の特性を含むようにしても良い。なお、ここで、印刷機の個体差とは、例えば、同じ種類の印刷機であっても、ある網の種類について、網点が５０％を占めるような画像を印刷した場合に、ある個体では、＋２％のドットゲインが生じる特性を有し、他方の個体では、＋５％のドットゲインが生じる特性を有するといった、印刷機の個体の特性の差異を示す。よって、このような印刷機の個体の特性を、印刷条件に含めて、印刷条件に応じたドットゲイン分補正処理を実施することができるようにすることで、印刷機の個体の特性を含めた印刷条件に応じて発生する印刷結果の差異を抑制することができる。
【００９４】
◎また、上述した実施形態では、関連付けパターン群ＰＧやドットゲイン分補正データ群ＡＧや網データ群ＮＧが、刷版画像作成装置１に内蔵される記憶部２０内に格納され、刷版画像作成装置１が、関連付けパターンを作成する関連付けパターン作成部１２を備えていたが、これに限られるものではなく、例えば、ホストコンピュータ２００においてＣＰＵを含む制御部２１０でプログラムが実行されることで、関連付けパターン作成部１２の機能と同様の機能を有する関連付けパターン作成部１２Ａを実現し、ホストコンピュータ２００の記憶部２２０に関連付けパターン群ＰＧやドットゲイン分補正データ群ＡＧや網データ群ＮＧが格納されるようにしても良い。以下、この変形例について具体的に説明する。
【００９５】
図１０は、変形例に係る印刷システム１００Ａの概要を示す図である。なお、図１０では、印刷システム１００と同様な部位や機能や記憶内容については、同様な符合を付して説明を省略する。
【００９６】
図１０に示すように、印刷システム１００Ａは、刷版画像作成装置１Ａ、ホストコンピュータ２００、出力機３、および印刷機４を備えて構成され、刷版画像作成装置１Ａとホストコンピュータ２００と出力機３とがＬＡＮなどの通信回線５０Ａを介してデータ送受信可能に接続される。
【００９７】
刷版画像作成装置１Ａは、刷版画像作成装置１の制御部１０から関連付けパターン作成部１２が除かれたものに相当する制御部１０Ａと、刷版画像作成装置１の記憶部２０から関連付けパターン群ＰＧ、ドットゲイン分補正データ群ＡＧ、および網データ群ＮＧが除かれたものに相当する記憶部２０Ａとを有する。
【００９８】
ホストコンピュータ２００は、内蔵するＣＰＵなどによって記憶部２２０に格納されるプログラムを実行することで、刷版画像作成装置１の関連付けパターン作成部１２の機能と同様の機能を有する関連付けパターン作成部１２Ａを実現する制御部２１０と、関連付けパターン作成部１２Ａで作成される関連付けパターンを格納する関連付けパターン群ＰＧ、ドットゲイン分補正データ群ＡＧ、および網データ群ＮＧを記憶する記憶部２２０とを有する。
【００９９】
つまり、ホストコンピュータ２００では、制御部２１０が、ホストコンピュータにおいてオペレータによる操作入力部の操作に応じた入力信号を受け付ける手段として機能する。また、関連付けパターン作成部１２Ａが、刷版画像において使用する網の種類が指定された原画像データから刷版画像データを作成する際にオペレータの入力に係る印刷条件の情報に応じたドットゲイン分補正処理を行うために、操作入力部からの入力信号に基づいて、印刷条件毎に各網の種類とドットゲイン分補正データとを関連付けた関連付けパターンを作成することで、関連付けパターン群ＰＧを作成する手段として機能する。
【０１００】
すなわち、ホストコンピュータ２００が、印刷条件毎に各網の種類とドットゲイン分補正データとを関連付ける装置（網・ゲイン分補正データ関連付け装置）として構成されても良い。
【０１０１】
このような構成とすることで、刷版画像作成装置１Ａにおいて、印刷条件に応じたドットゲイン分補正処理を選択的に実施することができるため、印刷条件に応じて発生する印刷結果の差異を抑制することができる。
【０１０２】
◎また、上述した実施形態では、原画像データを作成する処理（原画像作成処理）と、網の種類とドットゲイン分補正データとを関連付けする処理（関連付け処理）と、ジョブチケットを作成する処理（ジョブチケット作成処理）と、ドットゲイン分補正処理および網掛け処理とを、１つの装置である刷版画像作成装置１において実行したが、これに限られるものではなく、例えば、各処理を複数の装置で分担して行い、各装置相互間でデータのやりとりをするようにしても良い。以下、この変形例について具体的に説明する。
【０１０３】
図１１は、変形例に係る印刷システム１００Ｂの概要を示す図である。なお、図１１では、印刷システム１００と同様な部位や機能や記憶内容については、同様な符合を付して説明を省略する。
【０１０４】
図１１に示すように、印刷システム１００Ｂは、原画像作成処理を行う原画像作成装置４００、関連付け処理を行う網・ゲイン分補正データ関連付け装置５００、ジョブチケット作成処理を行うジョブチケット作成装置６００、ドットゲイン分補正処理および網掛け処理を行うゲイン補正・網掛け装置７００、出力機３、および印刷機４を備えて構成される。そして、原画像作成装置４００、網・ゲイン補正関連付け装置５００、ジョブチケット作成装置６００、ゲイン分補正・網掛け装置７００、および出力機３がＬＡＮなどの通信回線５０Ｂを介してデータ送受信可能に接続される。
【０１０５】
原画像作成装置４００においては、制御部４１０が、内蔵するＣＰＵなどによって記憶部４２０に格納されるプログラムを実行することで、刷版画像作成装置１の原画像作成部１１の機能と同様の機能を有する原画像作成部１１Ｂを実現する。
【０１０６】
網・ゲイン分補正データ関連付け装置５００においては、制御部５１０が、内蔵するＣＰＵなどによって記憶部５２０に格納されるプログラムを実行することで、刷版画像作成装置１の関連付けパターン作成部１２の機能と同様の機能を有する関連付けパターン作成部１２Ｂを実現する。また、記憶部５２０が、関連付けパターン作成部１２Ｂによって作成される関連付けパターン群ＰＧを記憶する。
【０１０７】
ジョブチケット作成装置６００においては、制御部６１０が、内蔵するＣＰＵなどによって記憶部６２０に格納されるプログラムを実行することで、刷版画像作成装置１のジョブチケット作成部１３および関連付けパターン指定部１４の機能とそれぞれ同様の機能を有するジョブチケット作成部１３Ｂおよび関連付けパターン指定部１４Ｂを実現する。つまり、オペレータによる操作入力部からの印刷条件や各種設定条件に係る入力に応じて、ジョブチケットが作成される。また、記憶部６２０が、ジョブチケット作成部１３Ｂで作成されるジョブチケットＪＴを記憶する。なお、ジョブチケット作成装置６００では、関連付けパターン指定部１４Ｂによって、複数の関連付けパターンから印刷条件の選択結果に応じた一つの関連付けパターンを指定することができるため、ジョブチケット作成装置６００は、関連付けパターンを選択的に指定する装置（関連付けパターン指定装置）と称することもできる。
【０１０８】
ゲイン分補正・網掛け装置７００においては、制御部７１０が、内蔵するＣＰＵなどによって記憶部７２０に格納されるプログラムを実行することで、刷版画像作成装置１のデータ受付部１５、データ処理部１６、関連付けパターン参照部１７、およびデータ出力部１８とそれぞれ同様な機能を有するデータ受付部１５Ｂ、データ処理部１６Ｂ、関連付けパターン参照部１７Ｂ、およびデータ出力部１８Ｂを実現する。また、記憶部７２０が、ドットゲイン分補正処理に必要なドットゲイン分補正データ群ＡＧや網掛け処理に必要な網データ群ＮＧを記憶する。
【０１０９】
なお、上述した原画像作成装置４００、網・ゲイン分補正データ関連付け装置５００、ジョブチケット作成装置６００、ゲイン分補正・網掛け装置７００、および出力機３を含む印刷システム１００Ｂが、通信回線５０Ｂを介して、相互にデータの送受信を行いながら、印刷システム１００と同様な動作を実行する。つまり、印刷システム１００Ｂが、印刷システム１００における刷版画像の作成動作フローと同様な刷版画像の作成動作フローを行う。
【０１１０】
以上のように、本変形例に係る印刷システム１００Ｂでは、原画像から刷版画像を作成する際にオペレータによる印刷条件の選択結果に応じたドットゲイン分補正処理を行うために、網・ゲイン分補正データ関連付け装置５００において、印刷条件毎に各網の種類とドットゲイン分補正データとを関連付けることで、複数の関連付けパターンからなる関連付けパターン群ＰＧを作成する。その結果、印刷条件に応じたドットゲイン分補正処理を選択的に実施することができるため、印刷条件に応じて発生する印刷結果の差異を抑制することができる。
【０１１１】
また、原画像から刷版画像を作成する際に原画像に対して印刷条件に応じたドットゲイン分補正処理を行うために、ジョブチケット作成装置６００において、印刷条件毎に各網の種類とドットゲイン分補正データとを関連付けた関連付けパターンを格納した関連付けパターン群ＰＧから、オペレータの選択した印刷条件に対応する関連付けパターンを指定する。その結果、印刷条件に応じたドットゲイン分補正処理を選択的に実施することができるため、印刷条件に応じて発生する印刷結果の差異を抑制することができる。
【０１１２】
また、ゲイン分補正・網掛け装置７００において、印刷条件毎に各網の種類とドットゲイン分補正データとを関連付けた関連付けパターンを格納した関連付けパターン群ＰＧから、オペレータによる印刷条件の選択結果に基づいて指定された関連付けパターンを参照するとともに、各網の種類に対して関連付けされたドットゲイン分補正データに基づいて、原画像に対するドットゲイン分補正処理を実行する。その結果、印刷条件に応じたドットゲイン分補正を選択的に実施することができるため、印刷条件に応じて発生する印刷結果の差異を抑制することができる。
【０１１３】
また、ここでは、原画像作成装置４００において原画像データを作成する際には、関連付けパターンを複数用意する関連付けパターン群ＰＧの内容などといったドットゲインに関する情報などを特に考慮することなく、原画像データを作成することができる。
【図面の簡単な説明】
【０１１４】
【図１】本発明の実施形態に係る印刷システムの概要を示す図である。
【図２】本発明の実施形態に係る刷版画像作成装置の機能ブロック図である。
【図３】ドットゲイン分補正データの特性の一例を説明するための図である。
【図４】印刷条件毎に網の種類とドットゲイン分補正データとを関連付けた関連付けパターン群の内容を例示する図である。
【図５】ジョブチケットの記述内容を例示する図である。
【図６】印刷条件を選択するための画面を示す図である。
【図７】刷版画像の作成動作フローを示すフローチャートである。
【図８】従来のドットゲイン分補正処理の概要を示す図である。
【図９】本発明に係るドットゲイン分補正処理の概要を示す図である。
【図１０】本発明の変形例に係る印刷システムの概要を示す図である。
【図１１】本発明の変形例に係る印刷システムの概要を示す図である。
【符号の説明】
【０１１５】
１，１Ａ  刷版画像作成装置
３  出力機
４  印刷機
１０，１０Ａ，２１０，４１０，５１０，６１０，７１０  制御部
２０，２０Ａ，２２０，４２０，５２０，６２０，７２０  記憶部
１１，１１Ｂ  原画像作成部
１２，１２Ａ，１２Ｂ  関連付けパターン作成部
１３，１３Ｂ  ジョブチケット作成部
１４，１４Ｂ  関連付けパターン指定部
１５，１５Ｂ  データ受付部
１６，１６Ｂ  データ処理部
１７，１７Ｂ  関連付けパターン参照部
１８，１８Ｂ  データ出力部
１００，１００Ａ，１００Ｂ  印刷システム
４００  原画像作成装置
５００  網・ゲイン分補正データ関連付け装置
６００  ジョブチケット作成装置（関連付けパターン指示装置）
７００  ゲイン分補正・網掛け装置
Ｐ１，Ｐ２  プログラム
ＰＧ  関連付けパターン群
ＡＧ  ドットゲイン分補正データ群
ＪＴ  ジョブチケット
ＮＧ  網データ群
【図１】
2005181845.tif 000003
【図２】
2005181845.tif 000004
【図３】
2005181845.tif 000005
【図４】
2005181845.tif 000006
【図５】
2005181845.tif 000007
【図６】
2005181845.tif 000008
【図７】
2005181845.tif 000009
【図８】
2005181845.tif 000010
【図９】
2005181845.tif 000011
【図１０】
2005181845.tif 000012
【図１１】
2005181845.tif 000013